(57)【要約】      （修正有）【課題】自身で取り外しができず、防水機能を備え、且つ装着者がはぐれた場合でもその現在位置を特定することのできる身体装着用位置情報発信器具を提供する。【解決手段】身体装着用位置情報発信器具１０は、本体１とバンド２から構成され、本体１の内部には、ＧＰＳ機能を有する無線データ送受信手段が少なくとも搭載され、バンド２は、その両端に、一度装着したら装着者自身で取り外しができない嵌合手段が設けられ、本体１には、無線データ送受信手段を保護するための防水手段を備えている。【選択図】図１
2016062566.tif 000002
【特許請求の範囲】
【請求項１】
本体とバンドから構成された身体装着用位置情報発信器具であって、
前記本体の内部には、ＧＰＳ機能を有する無線データ送受信手段が少なくとも搭載され、
前記バンドは、その両端に、一度装着したら装着者自身で取り外しができない嵌合手段が設けられ、
前記本体には、前記無線データ送受信手段を保護するための防水手段が設けられていることを特徴とする身体装着用位置情報発信器具。
【請求項２】
前記本体は、内螺子を有する上部と外螺子を有する下部とを閉回転させてできる空間の定位置に、ＧＰＳ機能を有する前記無線データ送受信手段を内蔵させることにより構成され、
前記の上部と下部との間には、前記防水手段としてゴムパッキンが備えられたことを特徴とする、請求項１記載の身体装着用位置情報発信器具。
【請求項３】
前記バンドは、その内部に、金属製ワイヤが設けられたことを特徴とする、請求項１又は２記載の身体装着用位置情報発信器具。
【請求項４】
請求項１〜３のいずれかに記載の身体装着用位置情報発信器具を用いて、ＧＰＳ機能による無線データの送受信により、前記器具の装着者の位置情報を確認するためのアプリケーションを設置した携帯電話端末から当該位置情報を取得することを特徴とする位置情報取得システム。
【発明の詳細な説明】
【技術分野】
【０００１】
本発明は、身体装着用位置情報発信器具および位置情報取得システムに関し、詳しくは、自身で取り外しができず、防水機能を備え、且つ装着者がはぐれた場合でもその現在位置を特定することのできる身体装着用位置情報発信器具および位置情報取得システムに関する。
【背景技術】
【０００２】
高齢者や認知症発症者等は、外出した際に自宅が思い出せなくなり、これによって徘徊したり、行方不明となるおそれがある。このようなおそれを防止するべく、近年、ＧＰＳ（Global Positioning System）機能を利用した位置情報確認技術が種々開発されている。
【０００３】
例えば、特許文献１には、徘徊者等にとって、必要な機能を利用者の邪魔に感じない形態で一つにまとめ、違和感無く利用される身近で簡単な利用者保護介護の道具として、利用者などの居場所を常に把握する仕組み、把握した居場所に対し連係する仕組み、そして利用者にとつて大切なキーを格納・携帯する仕組みの三機能をまとめ、吊り下げ式電子ベルキーホルダーとして一体化したものが開示されている。
【０００４】
特許文献１に記載のものは、ポケベル機能＋キーホルダー＋ＧＰＳを使った位置連絡受発信電子回路で構成した電子ベルキーホルダーを自分の家が分からなくなってしまう痴呆症の徘徊者等にもたせ、ポケベル・携帯電話機能を併用して、文字又は音声により直接自宅誘導を行うものであり、誘導できない場合は、内蔵ＧＰＳから送られた位置情報をもとに直接そこにおもむき保護するというものである。
【０００５】
しかし、このような形態のものでは、高齢者等が持ち忘れたり、どこかへ置いたままにしたり、落としたりした場合には、もはやその機能が意味をなさなくなる。また、仮に身体に装着できるものであっても、自身でハサミ等により切りとる等によって容易に取り外されてしまうおそれもある。さらには、水に浸けてしまった場合や、水蒸気等によってＧＰＳ機能を損傷するおそれもある。
【先行技術文献】
【特許文献】
【０００６】
【特許文献１】特開２００４−２４６８４６号公報
【発明の概要】
【発明が解決しようとする課題】
【０００７】
そこで本発明は、自身で取り外しができず、防水機能を備え、且つ装着者がはぐれた場合でもその現在位置を特定することのできる身体装着用位置情報発信器具および位置情報取得システムを提供することを目的とする。
【課題を解決するための手段】
【０００８】
本発明は、下記の器具およびシステムを提供することにより、その目的を達成したものである。
【０００９】
１．本体とバンドから構成された身体装着用位置情報発信器具であって、
前記本体の内部には、ＧＰＳ機能を有する無線データ送受信手段が少なくとも搭載され、
前記バンドは、その両端に、一度装着したら装着者自身で取り外しができない嵌合手段が設けられ、
前記本体には、前記無線データ送受信手段を保護するための防水手段が設けられていることを特徴とする身体装着用位置情報発信器具。
【００１０】
２．前記本体は、内螺子を有する上部と外螺子を有する下部とを閉回転させてできる空間の定位置に、ＧＰＳ機能を有する前記無線データ送受信手段を内蔵させることにより構成され、
前記の上部と下部との間には、前記防水手段としてゴムパッキンが備えられたことを特徴とする、前記１記載の身体装着用位置情報発信器具。
【００１１】
３．前記バンドは、その内部に、金属製ワイヤが設けられたことを特徴とする、前記１又は２記載の身体装着用位置情報発信器具。
【００１２】
４．前記１〜３のいずれかに記載の身体装着用位置情報発信器具を用いて、ＧＰＳ機能による無線データの送受信により、前記器具の装着者の位置情報を確認するためのアプリケーションを設置した携帯電話端末から当該位置情報を取得することを特徴とする位置情報取得システム。
【図面の簡単な説明】
【００１３】
【図１】本発明の一実施形態に係る身体装着用位置情報発信器具を示す斜視図である。
【図２】図１に示す器具の本体中央においてＡ−Ａ方向に見る断面を上下方向に延ばして分解した図である。
【図３】図１に示す器具を装着した際のバンド両端の嵌合部を示す拡大図である。
【図４】図３に示すバンド嵌合部中央においてＢ−Ｂ方向に見る断面図である
【発明を実施するための形態】
【００１４】
以下、本発明について、その好ましい実施形態に基づき詳細に説明する。
本発明の一実施形態の構成を図１に示す。図１に示す身体装着用位置情報発信器具１０は、本体１とバンド２から構成され、本体１の内部には、ＧＰＳ機能を有する無線データ送受信手段３が少なくとも搭載されている。
バンド２は、その両端に、一度装着したら装着者自身で取り外しができない嵌合手段２ａ、２ｂが設けられている。
また、本体１には、無線データ送受信手段３を保護するための防水手段が設けられている。
【００１５】
かかる身体装着用位置情報発信器具１０の構成によれば、装着者自身で取り外すことができず、防水機能があるため内部の部材が保護されてＧＰＳ機能に支障がなく、装着者がどこかへはぐれた場合でも、その現在位置を携帯電話の所定のアプリケーション等から特定することができる。
【００１６】
また、図２に示すように、本体１は、内螺子を有する上部１ａと外螺子を有する下部１ｂとを閉回転させてできる空間の定位置に、ＧＰＳ機能を有する無線データ送受信手段３を内蔵させることにより構成される。そして、本体上部１ａと本体下部１ｂとの間には、防水手段４としてゴムパッキンが備えられている。
【００１７】
このような構造により、本体１の内部に、無線データ送受信手段３を容易且つ確実に収納することができるとともに、使用時に外部の水から無線データ送受信手段３が保護され、ＧＰＳ機能を損なうことなく、耐久性にも優れるものとなる。
なお、本体１に内蔵されるＧＰＳ機能を有する無線データ送受信手段３としては、自動車のナビゲーションシステム等において広く一般に用いられるものと同様のものが特に制限なく用いられる。
【００１８】
バンド２の両端に備える嵌合手段は、高齢者等の利用者が一度装着したら装着者自身で取り外しができないものであるが、本実施形態に係る器具１０を装着した際のバンド２の両端の嵌合部は、図３に示すように嵌合することとなる。このとき、図４の断面図に示すように、バンド２の先端の嵌合手段２ａ、２ｂを装着するのは容易にできるが、これらを取り外すことはできないようになっている。なお、本実施形態で用いられるバンド２は、形状が比較的変形し易いゴム等の弾性体の素材からなり、このため、バンド２の一の先端の嵌合手段２ａが三角すい状であって、他の先端の嵌合手段２ｂの開口部の入口が狭く出口が広くなった構造のものでも容易に装着できる一方、取り外し難くなる。
【００１９】
バンドは２、その内部に、金属製ワイヤ５が設けられている。それにより、高齢者等の利用者が腕又は足首等に器具１０を装着した後にハサミ等でバンド２を切ろうとしても、ワイヤ５の存在によって不可能となり、装着者自身で一層取り外しができない構造とすることができる。
【００２０】
さらには、使用の必要がなくなった後やどうしても取り外したい場合には、装着者以外の人（介護する者等）がワイヤ５を含むバンド２を特殊工具（例えば、ペンチ等）で容易に切り落とすことができる。また、再度使用したい場合には、本体１の下部１ｂにあるバンド用の挿通孔に新しいバンド２を通すことで、身体装着用位置情報発信器具１０とすることができる。このようにして、本実施形態に係る身体装着用位置情報発信器具１０は、何度でも使うことができる利便性の高いものである。
【００２１】
本実施形態の身体装着用位置情報発信器具１０を用いることにより、ＧＰＳ機能による無線データの送受信により、当該器具１０の装着者の位置情報を確認するためのアプリケーションを設置した携帯電話端末から当該位置情報を取得する位置情報取得システムを提供することができる。
【００２２】
かかる位置情報取得システムによれば、高齢者等が外出先で徘徊したり行方不明になった場合でも、ＧＰＳ機能による無線データ送受信手段より送信される高齢者等の所在位置を確実且つ高精度に探索し、現在位置を容易に特定することができる。
【符号の説明】
【００２３】
１：本体
２：バンド
３：ＧＰＳ機能を有する無線データ送受信手段
４：防水手段（ゴムパッキン）
５：金属製ワイヤ
１０：身体装着用位置情報発信器具
【図１】
2016062566.tif 000003
【図２】
2016062566.tif 000004
【図３】
2016062566.tif 000005
【図４】
2016062566.tif 000006